(57)【要約】【課題】保険証券と約款とのマッチング処理を行わずに、契約者毎に契約の内容に応じた保険証券及び約款を作成する。【解決手段】契約者毎の保険内容に基づいた保険証券と約款とを冊子状に製本する約款付証券作成システムにおいて、保険証券の内容に対応する約款のみを所定のレイアウトに編集する約款編集部３０と、保険証券と約款編集部３０にて編集された約款とを契約者毎に所定の順序で組み合わせて連続用紙に連続的に印字する印字部４０と、連続用紙を頁毎に断裁する断裁部５０と、断裁部５０にて断裁された保険証券及び約款の一部に糊を塗布する糊塗布部７０と、断裁部５０にて断裁された保険証券及び約款を糊塗布部７０にて塗布された糊によって綴じ合わせて製本する製本部８０とを設ける。【選択図】  図１
2004209647.tif 000002
【特許請求の範囲】
【請求項１】
契約者毎の保険内容に基づいた保険証券と約款とを冊子状に製本する約款付証券作成方法であって、
前記保険証券の内容に対応する約款のみを所定のレイアウトに編集する工程と、
前記保険証券と前記編集された約款とを契約者毎に所定の順序で組み合わせて連続用紙に連続的に印字する工程と、
前記連続用紙を頁毎に断裁する工程と、
前記断裁された保険証券及び約款を製本する工程とを有することを特徴とする約款付証券作成方法。
【請求項２】
請求項１に記載の約款付証券作成方法において、
前記連続用紙に、前記所定の順序を示すための識別情報を前記保険証券及び約款毎に印字する工程と、
前記断裁された保険証券及び約款から前記識別情報を読み取ることにより、断裁された保険証券と約款の組み合わせ順序と前記所定の順序とを照合する工程とを有することを特徴とする約款付証券作成方法。
【請求項３】
契約者毎の保険内容に基づいた保険証券と約款とを冊子状に製本する約款付証券作成システムであって、
前記保険証券の内容に対応する約款のみを所定のレイアウトに編集する約款編集手段と、
前記保険証券と前記約款編集手段にて編集された約款とを契約者毎に所定の順序で組み合わせて連続用紙に連続的に印字する印字手段と、
前記連続用紙を頁毎に断裁する断裁手段と、
前記断裁手段にて断裁された保険証券及び約款を製本する製本手段とを有することを特徴とする約款付証券作成システム。
【請求項４】
請求項３に記載の約款付証券作成システムにおいて、
前記印字手段は、前記連続用紙に、前記所定の順序を示すための第１の識別情報を前記保険証券及び約款毎に印字し、
前記断裁された保険証券及び約款から前記第１の識別情報を読み取ることにより、断裁された保険証券と約款の組み合わせ順序と前記所定の順序とを照合する照合手段を有することを特徴とする約款付証券作成システム。
【請求項５】
請求項３または請求項４に記載の約款付証券作成システムにおいて、
前記約款を作成するための約款情報が該約款情報を識別可能な第２の識別情報と対応づけられて登録された第１のデータベースと、
前記契約者毎に、前記保険証券を作成するための証券情報が、該証券情報に対応する約款情報に対応づけられた前記第２の識別情報と対応づけられて登録された第２のデータベースとを有し、
前記約款編集手段は、前記保険証券を作成するための証券情報に対応づけられた第２の識別情報によって識別される約款情報を前記第１のデータベースから抽出し、該約款情報を所定のレイアウトに編集することを特徴とする約款付証券作成システム。
【発明の詳細な説明】
【０００１】
【発明の属する技術分野】
本発明は、保険証券に保険の約款が付与された約款付証券を作成する約款付証券作成方法及び約款付証券作成システムに関する。
【０００２】
【従来の技術】
一般に、契約者が掛け金を支払うことにより所定の保障が行われる保険の契約においては、契約者が保険に加入した際、加入した保険の内容が掲載された保険証券と、その保険に関する約款が契約者に対して発行される。なお、保険には、様々な保障が設定されており、契約者は、これらの保障の中から自分に合った保障を選択し、その内容の保険に加入することになる。
【０００３】
ここで、契約者に対して発行される保険証券においては、汎用性を高めるために、契約者が加入した保険の種類に応じた内容以外のものが掲載されており、また、約款においても、契約者が加入した保険の種類とは無関係に全ての保障についての内容が掲載されており、約款の頁数は膨大なものとなる場合がある。
【０００４】
そのため、契約者にとって、保険証券及び約款に掲載された内容が分かりにくくなってしまっている。
【０００５】
そこで、契約者が加入した保険の内容に応じて保険証券及び約款に掲載する内容を編集して印字するプリント方法が考えられている。
【０００６】
このプリント方法においては、契約者の証券データに基づいて、契約者毎に、保険証券を作成するために必要なデータを取得して該データを用いて保険証券を作成し、また、契約者の証券データに基づいて、契約者毎に、約款を作成するために必要なデータを取得して該データを用いて約款を作成し、その後、これら作成された保険証券と約款とを一体化して冊子化することにより、約款付証券が作成されている（例えば、特許文献１参照。）。
【０００７】
【特許文献１】
特開２００２−１４９５１号公報
【０００８】
【発明が解決しようとする課題】
しかしながら、上述したようなプリント方法においては、保険証券と約款とをそれぞれ作成し、その後、作成された保険証券と約款とを一体化して冊子化しているため、異なる契約者に対する保険証券と約款とが一体化して冊子化されてしまう虞れがあり、これを防止するために、保険証券と約款とを一体化する際に両者のマッチング処理を行わなければならず、そのための手間がかかってしまうという問題点がある。
【０００９】
本発明は、上述したような従来の技術が有する問題点に鑑みてなされたものであって、契約者毎に契約の内容に応じた保険証券及び約款が作成されるとともに、保険証券と約款とのマッチング処理を行う必要のない約款付証券作成方法及び約款付証券作成システムを提供することを目的とする。
【００１０】
【課題を解決するための手段】
上記目的を達成するために本発明は、
契約者毎の保険内容に基づいた保険証券と約款とを冊子状に製本する約款付証券作成方法であって、
前記保険証券の内容に対応する約款のみを所定のレイアウトに編集する工程と、
前記保険証券と前記編集された約款とを契約者毎に所定の順序で組み合わせて連続用紙に連続的に印字する工程と、
前記連続用紙を頁毎に断裁する工程と、
前記断裁された保険証券及び約款を製本する工程とを有することを特徴とする。
【００１１】
また、前記連続用紙に、前記所定の順序を示すための識別情報を前記保険証券及び約款毎に印字する工程と、
前記断裁された保険証券及び約款から前記識別情報を読み取ることにより、断裁された保険証券と約款の組み合わせ順序と前記所定の順序とを照合する工程とを有することを特徴とする。
【００１２】
また、契約者毎の保険内容に基づいた保険証券と約款とを冊子状に製本する約款付証券作成システムであって、
前記保険証券の内容に対応する約款のみを所定のレイアウトに編集する約款編集手段と、
前記保険証券と前記約款編集手段にて編集された約款とを契約者毎に所定の順序で組み合わせて連続用紙に連続的に印字する印字手段と、
前記連続用紙を頁毎に断裁する断裁手段と、
前記断裁手段にて断裁された保険証券及び約款を製本する製本手段とを有することを特徴とする。
【００１３】
また、前記印字手段は、前記連続用紙に、前記所定の順序を示すための第１の識別情報を前記保険証券及び約款毎に印字し、
前記断裁された保険証券及び約款から前記第１の識別情報を読み取ることにより、断裁された保険証券と約款の組み合わせ順序と前記所定の順序とを照合する照合手段を有することを特徴とする。
【００１４】
また、前記約款を作成するための約款情報が該約款情報を識別可能な第２の識別情報と対応づけられて登録された第１のデータベースと、
前記契約者毎に、前記保険証券を作成するための証券情報が、該証券情報に対応する約款情報に対応づけられた前記第２の識別情報と対応づけられて登録された第２のデータベースとを有し、
前記約款編集手段は、前記保険証券を作成するための証券情報に対応づけられた第２の識別情報によって識別される約款情報を前記第１のデータベースから抽出し、該約款情報を所定のレイアウトに編集することを特徴とする。
【００１５】
（作用）
上記のように構成された本発明においては、契約者毎に、保険証券の内容に対応する約款のみが所定のレイアウトに編集され、保険証券と編集された約款とが契約者毎に所定の順序で組み合わされて連続用紙に連続的に印字され、連続用紙が頁毎に断裁され、断裁された保険証券及び約款が製本されることにより、契約者毎の保険内容に基づいた保険証券と約款とが冊子状となって作成されることになる。
【００１６】
このように、保険証券とこの保険証券に対応する約款とが契約者毎に組み合わされて連続用紙に連続的に印字されるので、その後、この連続用紙を断裁するだけで、保険証券と約款とが契約者毎に組み合わされた状態となり、保険証券と約款とのマッチング処理を行う必要がなくなる。
【００１７】
また、連続用紙に、上述した所定の順序を示すための識別情報を保険証券及び約款毎に印字しておき、断裁された保険証券及び約款からその識別情報を読み取ることにより、  断裁された保険証券と約款の組み合わせ順序と所定の順序とを照合すれば、断裁された後にて保険証券や約款の順序が変わってしまった場合においても、その後、保険証券と約款とを所定の順序で組み合わせることができる。
【００１８】
【発明の実施の形態】
以下に、本発明の実施の形態について図面を参照して説明する。
【００１９】
図１は、本発明の約款付証券作成システムの実施の一形態を示す図である。
【００２０】
本形態は図１に示すように、証券情報データベース１０に登録された情報に基づいて、約款情報データベース２０に登録された約款情報の中から契約者毎に該契約者の保険証券に対応する約款情報を抽出し、約款情報データベース２０にて定められた規則に従って約款情報を編集レイアウトする約款編集部３０と、証券情報データベース１０に登録された証券情報と約款編集部３０にて編集された約款情報とを契約者毎に所定の順序でロール紙に連続的に印字するとともに、証券情報及び約款情報のそれぞれに付与されたバーコード情報をロール紙の側部領域に印字する印字部４０と、印字部４０にて証券情報と約款情報とが印字されたロール紙を、保険証券と約款とについて１頁毎に断裁する断裁部５０と、印字部４０にてロール紙に印字されたバーコード情報を読み取ることにより、断裁部５０にて断裁されて搬送された証券証券及び約款の重ね合わせ順序を照合する照合部６０ａと、断裁部５０にて断裁されて搬送された保険証券及び約款の所定の領域に糊を塗布する糊塗布部７０と、重ね合わされる保険証券及び約款のうち、最表面となる保険証券に印字された情報を読み取ることにより、保険証券の印字内容を照合する照合部６０ｂと、断裁部５０にて断裁されて搬送された保険証券と約款とを重ね合わせ、糊塗布部７０にて塗布された糊によってこれらを綴じ合わせる製本部８０とから構成されている。
【００２１】
以下に、上記のように構成された約款付証券作成システムにおける約款付証券作成方法について説明する。
【００２２】
図２は、図１に示した約款付証券作成システムにおける約款付証券作成方法を説明するためのフローチャートである。また、図３は、図１に示した約款付証券作成システムにて実際に約款付証券が作成されるまでの流れを示す図である。
【００２３】
まず、約款編集部３０において、証券情報データベース１０に登録された証券情報が契約者毎に抽出される（ステップＳ１）。ここで、証券情報データベース１０には、保険証券として印字される証券情報が、契約者の属性情報と対応づけられて登録されており、また、これらの情報には契約者を識別可能な識別情報が付与されており、識別情報によって契約者が指定されることになる。
【００２４】
また、約款編集部３０において、約款情報データベース２０の中から、証券情報データベース１０から抽出された証券情報に対応する約款情報が検索、抽出される（ステップＳ２）。ここで、約款情報データベース２０においては、約款情報毎に、約款情報を識別可能な第２の識別情報が対応づけられており、また、証券情報データベース１０においては、証券情報毎に、その証券情報に対応する約款情報に対応づけられた識別情報が対応づけられている。そのため、証券情報データベース１０から抽出された証券情報について、証券情報データベース１０にて該証券情報に対応づけられた識別情報によって約款情報データベース２０が検索され、約款情報データベース２０にてその識別情報に対応づけられた約款情報が抽出されることになる。
【００２５】
次に、約款編集部３０において、約款情報データベース２０から抽出された約款情報が所定の規則に従ってレイアウト編集される（ステップＳ３）。ここで、約款情報データベース２０には、約款情報毎に、その文章の構成に基づいた規則が設定されており、その規則に従って、約款情報データベース２０から抽出された約款情報がレイアウト編集されることになる。例えば、文章の構成から行頭に読点が存在する場合はその読点を前の行末に含ませる等といった規則が約款情報毎に設定されている。約款情報データベース２０から抽出された約款情報は、このように設定された規則に従って編集レイアウトされる。
【００２６】
また、約款編集部３０において、後の工程にてロール紙１に印字されて断裁された保険証券及び約款の重ね合わせ順序を識別するための第１の識別情報であるバーコード情報が生成される。
【００２７】
次に、印字部４０において、証券情報データベース１０に登録された証券情報と約款編集部３０にて編集された約款情報とが、契約者毎に所定の順序で組み合わされてロール紙１に連続的に印字される（ステップＳ４）。印字部４０においては、まず、証券情報データベース１０から証券情報が契約者毎に抽出される。この際、印字部４０においては、上述したように、契約者に付与された識別情報が指定されることによりその契約者の証券情報が証券情報データベース１０から抽出される。その後、印字部４０において、証券情報データベース１０から抽出された証券情報と、その証券情報に対応して約款編集部３０にて編集された約款情報とが所定の順序で組み合わされてロール紙１に連続的に印字される。この印字部４０における証券情報及び約款情報の印字は、ロール紙１が後に断裁されて重ね合わされた際に所定の頁順序からなる冊子となるようにロール紙１の表裏に対してそれぞれ行われる。また、印字部４０においては、約款編集部３０にて生成されたバーコード情報が、ロール紙１の証券情報及び約款情報が印字される領域毎にその端部に印字される。その際、約款編集部３０にて生成されたバーコード情報がどの保険証券や約款に印字されたかを管理しておくことにより、後の工程において、このバーコード情報を読み取ることで、保険証券や約款を特定することができる。
【００２８】
図４は、図１及び図３に示した印字部４０にてロール紙１に証券情報及び約款情報が印字された状態を示す図であり、（ａ）はロール紙１の表面を示す図、（ｂ）はロール紙１の裏面を示す図である。
【００２９】
図４に示すように、ロール紙１には、ロール紙１が、後工程にて断裁されて重ね合わされた際に所定の頁順序からなる冊子となるように、証券情報及び約款情報がロール紙１の表裏に対してそれぞれ所定の順序に連続的に印字されており、また、約款編集部３０にて生成されたバーコード情報が、ロール紙１の証券情報及び約款情報が印字される領域毎にその端部に印字される。
【００３０】
次に、断裁部５０において、印字部４０にて証券情報及び約款情報が印字されたロール紙１が保険証券及び約款毎に断裁され（ステップＳ５）、一旦重ね合わされてストックされる（ステップＳ６）。
【００３１】
重ね合わされた保険証券及び約款は、その後、再び１枚ずつ搬送されていき、まず、照合部６０ａにおいて、保険証券及び約款に印字されたバーコード情報が読み取られ、保険証券及び約款の組み合わせ順序が所定の組み合わせ順序であるかが照合され（ステップＳ７）、また、糊塗布部７０において、保険証券及び約款の互いに綴じ合わされる領域に糊が塗布される（ステップＳ８）。
【００３２】
次に、照合部６０ｂにおいて、保険証券に印字された情報が読み取られ、保険証券の内容の照合が行われる（ステップＳ９）。この照合部６０ｂにおける保険証券の内容の照合においては、例えば、照合部６０ａにて読み取られたバーコード情報によって保険証券を特定しておき、予め決められた領域をＯＣＲ認識し、その領域に印字された数字を、バーコード情報によって特定された保険証券の証券情報と照合することにより、証券情報が正確に印字されているかどうかが判断されることになる。
【００３３】
その後、製本部８０において、保険証券及び約款が重ね合わされて、糊塗布部７０にて塗布された糊を用いて綴じ合わされ、また、バーコード情報が印字された領域が断裁され、約款付証券として製本される（ステップＳ１０）。
【００３４】
なお、本形態においては、契約者毎に１つの保険証券が設定され、この保険証券とその保険証券に対応する約款とがロール紙１に連続的に印字され、その後、断裁、製本される場合を例に挙げて説明したが、例えば、一人の契約者が複数の保険に加入してその保険毎にそれぞれ保険証券が存在する場合は、保険証券とこの保険証券に対応する約款とを保険証券毎にロール紙１に連続的に印字するとともに、さらにこれら保険証券と約款とからなる印刷領域を契約者毎に連続して作成し、その後、契約者毎に全ての保険証券及び約款を綴じ合わせ、約款付証券として製本することも考えられる。
【００３５】
また、保険証券毎に対応する約款についてそれぞれ重要度によるレベルを設定しておき、約款を印字する際にそのレベルに応じた色分けをすることも考えられる。
【００３６】
【発明の効果】
以上説明したように本発明においては、契約者毎の保険内容に基づいた保険証券と約款とを冊子状に製本する約款付証券作成方法や約款付証券作成システムにおいて、保険証券の内容に対応する約款のみを所定のレイアウトに編集し、保険証券と編集された約款とを契約者毎に所定の順序で組み合わせて連続用紙に連続的に印字し、連続用紙を頁毎に断裁し、断裁された保険証券及び約款を製本することにより約款付証券を作成する構成とし、保険証券とこの保険証券に対応する約款とを契約者毎に組み合わせて連続用紙に連続的に印字するため、その後、この連続用紙を断裁するだけで、保険証券と約款とが契約者毎に組み合わされた状態となり、保険証券と約款とのマッチング処理を行う必要がなくなる。
【００３７】
また、連続用紙に、上述した所定の順序を示すための識別情報を保険証券及び約款毎に印字し、断裁された保険証券及び約款からその識別情報を読み取ることにより、  断裁された保険証券と約款の組み合わせ順序と所定の順序とを照合する構成としたものにおいては、断裁された後にて保険証券や約款の順序が変わってしまった場合においても、その後、保険証券と約款とを所定の順序で組み合わせることができる。
【図面の簡単な説明】
【図１】本発明の約款付証券作成システムの実施の一形態を示す図である。
【図２】図１に示した約款付証券作成システムにおける約款付証券作成方法を説明するためのフローチャートである。
【図３】図１に示した約款付証券作成システムにて実際に約款付証券が作成されるまでの流れを示す図である。
【図４】図１及び図３に示した印字部にてロール紙に証券情報及び約款情報が印字された状態を示す図であり、（ａ）はロール紙の表面を示す図、（ｂ）はロール紙の裏面を示す図である。
【符号の説明】
１    ロール紙
１０    証券情報データベース
２０    約款情報データベース
３０    約款編集部
４０    印字部
５０    断裁部
６０ａ，６０ｂ    照合部
７０    糊塗布部
８０    製本部
【図１】
2004209647.tif 000003
【図２】
2004209647.tif 000004
【図３】
2004209647.tif 000005
【図４】
2004209647.tif 000006